(57)【要約】【課題】  使用者に対して耳の近くで鳴音する旨を警告することが可能な携帯通信端末を提供する。【解決手段】  携帯電話機１の制御部１８は音声通話状態に移行すると、スピーカ一体型表示部１９に音声通話状態の信号を送り、スピーカ一体型表示部１９の画面部分のどこに耳をあてても、相手の声が聞こえる状態となる。制御部１８はＲＯＭ１６またはＲＡＭ１７に格納されている動画の再生動作を行う時、または録音したボイスデータの再生やメール読上げを行う時に、スピーカ一体型表示部１９の表示画面にスピーカ一体型表示部１９の画面から大きな音が出る旨の警告画面を表示してから、スピーカ一体型表示部１９のスピーカ部分から音声データやメール本文の読上げ音を鳴音させる。【選択図】      図１
2006197047.tif 000002
【特許請求の範囲】
【請求項１】
画像及び文字情報を表示する表示画面と音を出力するスピーカとを一体化させたスピーカ一体型ディスプレイを搭載する携帯通信端末であって、
前記スピーカ一体型ディスプレイから音を鳴音させる際に当該スピーカ一体型ディスプレイに前記音を鳴音させる旨の警告画面を表示させる制御手段を有することを特徴とする携帯通信端末。
【請求項２】
前記制御手段は、前記警告画面を消去する操作が行われた後に前記スピーカ一体型ディスプレイから音を鳴音させることを特徴とする請求項１記載の携帯通信端末。
【請求項３】
前記制御手段は、前記警告画面を予め設定された所定時間後に消去して前記スピーカ一体型ディスプレイから音を鳴音させることを特徴とする請求項１記載の携帯通信端末。
【請求項４】
前記制御手段は、少なくとも動画及び録音した音声メッセージの再生時、受信した電子メールの読上げ時のいずれかに前記スピーカ一体型ディスプレイに前記警告画面を表示させることを特徴とする請求項１から請求項３のいずれか記載の携帯通信端末。
【請求項５】
画像及び文字情報を表示する表示画面と音を出力するスピーカとを一体化させたスピーカ一体型ディスプレイを搭載する携帯通信端末に用いる警告画面表示方法であって、前記携帯通信端末が、前記スピーカ一体型ディスプレイから音を鳴音させる際に当該スピーカ一体型ディスプレイに前記音を鳴音させる旨の警告画面を表示させる処理を実行することを特徴とする警告画面表示方法。
【請求項６】
前記警告画面を表示させる処理は、前記警告画面を消去する操作が行われた後に前記スピーカ一体型ディスプレイから音を鳴音させることを特徴とする請求項５記載の警告画面表示方法。
【請求項７】
前記警告画面を表示させる処理は、前記警告画面を予め設定された所定時間後に消去して前記スピーカ一体型ディスプレイから音を鳴音させることを特徴とする請求項５記載の警告画面表示方法。
【請求項８】
前記警告画面を表示させる処理は、少なくとも動画及び録音した音声メッセージの再生時、受信した電子メールの読上げ時のいずれかに前記スピーカ一体型ディスプレイに前記警告画面を表示させることを特徴とする請求項５から請求項７のいずれか記載の警告画面表示方法。
【請求項９】
画像及び文字情報を表示する表示画面と音を出力するスピーカとを一体化させたスピーカ一体型ディスプレイを搭載する携帯通信端末に用いる警告画面表示方法のプログラムであって、コンピュータに、前記スピーカ一体型ディスプレイから音を鳴音させる際に当該スピーカ一体型ディスプレイに前記音を鳴音させる旨の警告画面を表示させる処理を実行させるためのプログラム。
【発明の詳細な説明】
【技術分野】
【０００１】
本発明は携帯通信端末及びそれに用いる警告画面表示方法並びにそのプログラムに関し、特にフラットパネルスピーカを搭載する携帯電話機に関する。
【背景技術】
【０００２】
近年、情報処理端末においては、携帯性を高めるために、端末自体の小型化が図られるようになっており、それに伴って表示部とスピーカ部とを一体化させたディスプレイも用いられるようになってきている。
【０００３】
この場合、上記のディスプレイでは、例えば液晶パネルそのものを振動させるのではなく、液晶パネル前面に配置されたカバー素材（例えば、アクリル板やガラス板等）を振動させることで鳴音させている（例えば、特許文献１参照）。上記の方法の場合、カバー素材にエキサイタ（磁石及びボイスコイル）を取付けてカバー素材を振動板として鳴音させている。
【０００４】
同様に、携帯電話機等の携帯通信端末においても、さらなる小型化を図るために、上述した表示部とスピーカ部とを一体化させたディスプレイを用いるものが提案されている（例えば、特許文献２参照）。
【０００５】
【特許文献１】特公表２００２−５３３９５７号公報
【特許文献２】特開２００２−１６４９７７号公報
【発明の開示】
【発明が解決しようとする課題】
【０００６】
上述した従来の携帯通信端末では、通常、その端末の画面あたりに耳をつけて使用することがおおく、表示部とスピーカ部とを一体化させたディスプレイにて音声や楽曲を出力する場合、画面から音が鳴音することとなり、耳をつけている状態でいきなり音が鳴音すると、その音量によって使用者の耳を痛めたり、音量に驚愕させたり、しばらく音が聞こえなくなったりすることがある。
【０００７】
そこで、本発明の目的は上記の問題点を解消し、使用者に対して耳の近くで鳴音する旨を警告することができる携帯通信端末及びそれに用いる警告画面表示方法並びにそのプログラムを提供することにある。
【課題を解決するための手段】
【０００８】
本発明による携帯通信端末は、画像及び文字情報を表示する表示画面と音を出力するスピーカとを一体化させたスピーカ一体型ディスプレイを搭載する携帯通信端末であって、
前記スピーカ一体型ディスプレイから音を鳴音させる際に当該スピーカ一体型ディスプレイに前記音を鳴音させる旨の警告画面を表示させる制御手段を備えている。
【０００９】
本発明による警告画面表示方法は、画像及び文字情報を表示する表示画面と音を出力するスピーカとを一体化させたスピーカ一体型ディスプレイを搭載する携帯通信端末に用いる警告画面表示方法であって、前記携帯通信端末が、前記スピーカ一体型ディスプレイから音を鳴音させる際に当該スピーカ一体型ディスプレイに前記音を鳴音させる旨の警告画面を表示させる処理を実行している。
【００１０】
本発明による警告画面表示方法のプログラムは、画像及び文字情報を表示する表示画面と音を出力するスピーカとを一体化させたスピーカ一体型ディスプレイを搭載する携帯通信端末に用いる警告画面表示方法のプログラムであって、コンピュータに、前記スピーカ一体型ディスプレイから音を鳴音させる際に当該スピーカ一体型ディスプレイに前記音を鳴音させる旨の警告画面を表示させる処理を実行させている。
【００１１】
すなわち、本発明の携帯通信端末は、表示部とスピーカ部とを一体化させたディスプレイ（例えば、フラットパネルスピーカ）を搭載する端末において、そのディスプレイから音を鳴音させる時に、その鳴音を行う旨を警告画面として表示することを特徴としている。
【００１２】
より具体的に述べると、本発明の携帯通信端末では、スピーカ一体型ディスプレイ付きの端末において、スピーカ一体型ディスプレイから音を鳴音させることのできる機能、例えば、撮影した音声付きの動画や端末で録音した音声メッセージを再生する時、または受信したメール等を読上げる機能を持っている端末で受信したメールを読上げる時等に、端末の操作を伴う警告画面を表示する。その警告画面には、「大きな音が画面から出るため、耳を画面に近づけないようにして欲しい」旨のワーディングを表示する。
【００１３】
よって、本発明の携帯通信端末では、使用者に対して耳の近くで鳴音する旨を警告することが可能となるので、音量によって使用者の耳を痛めたり、音量に驚愕させたり、しばらく音が聞こえなくなったりするのを回避させることが可能となる。また、本発明の携帯通信端末は、耳の近くで鳴音する旨を警告することで、ＰＬ（Ｐｒｏｄｕｃｔ  Ｌｉａｂｉｌｉｔｙ）法上の問題発生を回避することが可能となる。
【発明の効果】
【００１４】
本発明は、以下に述べるような構成及び動作とすることで、使用者に対して耳の近くで鳴音する旨を警告することができるという効果が得られる。
【発明を実施するための最良の形態】
【００１５】
次に、本発明の実施例について図面を参照して説明する。図１は本発明の一実施例による携帯電話機の構成を示すブロック図である。図１において、携帯電話機１はアンテナ１１と、送受信部１２と、無線部１３と、ボタン入力部１４と、状態監視部１５と、ＲＯＭ（リードオンリメモリ）１６と、ＲＡＭ（ランダムアクセスメモリ）１７と、制御部１８と、スピーカ一体型表示部１９とから構成されている。
【００１６】
携帯電話機１では、例えばアンテナ１１から音声着信の電波を受信すると、その信号は送受信部１２を通して無線部１３に送られ、通話状態に移行する。制御部１８では音声通話状態に移行したと判断すると、スピーカ一体型表示部１９に音声通話状態の信号を送り、スピーカ一体型表示部１９の画面部分のどこに耳をあてても、相手の声が聞こえる状態となる。このスピーカ一体型表示部１９としては、フラットパネルスピーカ（ＦＰＳ）がある。
【００１７】
また、携帯電話機１では、例えば音声付きの動画を再生する時、ＲＯＭ１６またはＲＡＭ１７に格納されている動画を選択し、再生動作を行う旨の指示を制御部１８に送る。制御部１８ではＲＡＭ１７から送られてきたデータが音声付きの動画と判断して再生した場合、スピーカ一体型表示部１９の表示画面にＲＡＭ１７に格納されていた動画データを映し出し、スピーカ一体型表示部１９のスピーカ部分でＲＡＭ１７に格納されていた動画データの音声部分を鳴音させる。
【００１８】
このとき、ＲＡＭ１７に格納されていた音声データは、通話中のように耳を近づけなければ聞こえない程度の大きさではなく、耳を離していても聞こえるようなスピーカとして機能する。
【００１９】
録音したボイスデータの再生や、メール読上げ機能を持っている携帯電話機においても、上記と同様に、スピーカ一体型表示部１９の表示画面に情報を表示し、スピーカ一体型表示部１９のスピーカ部分から音声データやメール本文の読上げ音を鳴音させる。
【００２０】
本実施例では、スピーカ一体型表示部１９から音声を鳴動させる時に、端末の操作を伴う警告画面を表示している。つまり、本実施例では、上記のスピーカ一体型表示部１９から音声を鳴動させる前に、「大きな音が画面から出るため、耳を近づけないようにして欲しい」旨の警告画面をスピーカ一体型表示部１９の表示部分に表示する。
【００２１】
ボタン入力部１４にて操作が行われ、その入力が状態監視部１５に入力されると、状態監視部１５はその操作内容を判断し、判断結果を制御部１８に送信し、、スピーカ一体型表示部１９から音が出るデータの再生の可否の判断を行う。
【００２２】
図２は図１の携帯電話機１における動画や音声の再生動作を示すフローチャートである。これら図１及び図２を参照して携帯電話機１における動画や音声の再生動作について説明する。尚、図２に示す処理は携帯電話機１の制御部１８がＲＯＭ１６に格納されたプログラムを実行することで実現される。
【００２３】
携帯電話機１の制御部１８は待ち受け状態から、上述したＲ０Ｍ１６またはＲＡＭ１７に格納されているムービーデータまたはボイスデータが選択されると（図２ステップＳ１，Ｓ２）、それらのデータの再生操作に移行しようとする。制御部１８はそのタイミングでスピーカ一体型表示部１９に「スピーカ一体型表示部から大きな音が出るが、鳴音しても良いか」の旨の警告画面を表示する（図２ステップＳ３）。
【００２４】
制御部１８はスピーカ一体型表示部１９への警告画面の表示中に、「鳴音しても良い」が選択された場合、選択されたデータの再生フローに移行し、音声をスピーカ一体型表示部１９から鳴音する（図２ステップＳ４）。また、制御部１８は「鳴音しても良い」が選択されなければ、選択したデータの再生フローに移行せずに処理を終了する。
【００２５】
図３は図１の携帯電話機１におけるメールやメールチャートの読上げ動作を示すフローチャートである。これら図１及び図３を参照して携帯電話機１におけるメールやメールチャートの読上げ動作について説明する。尚、図３に示す処理は携帯電話機１の制御部１８がＲＯＭ１６に格納されたプログラムを実行することで実現される。
【００２６】
携帯電話機１の制御部１８は待ち受け状態から、メール着信またはチャットメール着信が発生すると（図３ステップＳ１１，Ｓ１２）、その受信を完了し（図３ステップＳ１３）、受信完了した旨を上記のスピーカ一体型表示部１９に表示する。
【００２７】
制御部１８は受信したメールを確認するためにメール画面が起動されると、メール画面表示と同時に、受信したメッセージの読上げを行うか否かを確認し（図３ステップＳ１４）、受信したメッセージの読上げを行わない場合、メッセージの読上げを行わずに、受信メールの内容を表示する（図３ステップＳ１７）。
【００２８】
また、制御部１８は受信したメッセージの読上げを行う場合、スピーカ一体型表示部１９からメール本文の読上げ音を鳴音させても問題ないかどうかを確認し（図３ステップＳ１５）、読上げ音を鳴音させないが選択されると、メッセージの読上げを行わずに、受信メールの内容を表示する（図３ステップＳ１７）。
【００２９】
一方、制御部１８は読上げ音を鳴音させるが選択されると、メール画面を表示しつつ、スピーカ一体型表示部１９からメール本文を読上げた音声を鳴音させる（図３ステップＳ１６）。
【００３０】
このように、本実施例では、スピーカ一体型表示部１９から音を鳴音させる前に、端末の操作を伴う警告画面をスピーカ一体型表示部１９に表示することによって、スピーカ一体型表示部１９を搭載する端末において、スピーカ一体型表示部１９からいきなり音が鳴音し、その音量により耳を痛めたり、音量に驚愕したり、しばらく音が聞こえなくなったりするのを回避させることができる。
【００３１】
尚、本実施例は、端末の操作を伴わない警告画面表示についても適用可能である。この場合、スピーカ一体型表示部１９から音を鳴音させる機能が起動される時、「スピーカ一体型表示部の画面から大きな音が出るため、耳を画面に近づけないようにして欲しい」旨の警告画面を表示し、人間が識別可能な速さ（２〜３秒）で警告画面表示を消した後に、スピーカ一体型表示部１９から音を鳴音させる機能を起動させる。この場合には、端末の操作を伴わずに、スピーカ一体型表示部１９に警告画面を表示し、注意を促すことが可能となる。
【産業上の利用可能性】
【００３２】
本発明は、上述した携帯電話機において、ストレートタイプ、折り畳みタイプ、スライドタイプ等の形状を問わずに適用することができる。また、本発明は、携帯電話機のみならず、画面近傍に耳を当てて音声や音を聞くための機能を持っていれば、ＰＤＡ（Ｐｅｒｓｏｎａｌ  Ｄｉｇｉｔａｌ  Ａｓｓｉｓｔａｎｔ）等の携帯通信端末にも適用可能である。
【図面の簡単な説明】
【００３３】
【図１】本発明の一実施例による携帯電話機の構成を示すブロック図である。
【図２】図１の携帯電話機における動画や音声の再生動作を示すフローチャートである。
【図３】図１の携帯電話機におけるメールやメールチャートの読上げ動作を示すフローチャートである。
【符号の説明】
【００３４】
１  携帯電話機
１１  アンテナ
１２  送受信部
１３  無線部
１４  ボタン入力部
１５  状態監視部
１６  ＲＯＭ
１７  ＲＡＭ
１８  制御部
１９  スピーカ一体型表示部
【図１】
2006197047.tif 000003
【図２】
2006197047.tif 000004
【図３】
2006197047.tif 000005
【手続補正書】
【提出日】平成17年11月14日(2005.11.14)
【手続補正１】
【補正対象書類名】明細書
【補正対象項目名】０００６
【補正方法】変更
【補正の内容】
【０００６】
上述した従来の携帯通信端末では、通常、その端末の画面あたりに耳をつけて使用することがおおく、表示部とスピーカ部とを一体化させたディスプレイにて音声や楽曲を出力する場合、画面から音が鳴音することとなり、耳をつけている状態でいきなり音が鳴音すると、その音量によって使用者を驚かせることがある。
【手続補正２】
【補正対象書類名】明細書
【補正対象項目名】００１３
【補正方法】変更
【補正の内容】
【００１３】
よって、本発明の携帯通信端末では、使用者に対して耳の近くで鳴音する旨を警告することが可能となるので、スピーカ一体型表示部からいきなり音が鳴音し、その音量によって使用者を驚かせるのを回避させることが可能となる。
【手続補正３】
【補正対象書類名】明細書
【補正対象項目名】００３０
【補正方法】変更
【補正の内容】
【００３０】
このように、本実施例では、スピーカ一体型表示部１９から音を鳴音させる前に、端末の操作を伴う警告画面をスピーカ一体型表示部１９に表示することによって、スピーカ一体型表示部１９を搭載する端末において、スピーカ一体型表示部１９からいきなり音が鳴音し、その音量によって使用者を驚かせるのを回避させることができる。